(57)【要約】【課題】貯水室８への細菌やカビ繁殖を防止した加湿装置を提供する。【解決手段】貯水室に接続された配管途中に銀イオンを溶出するイオン溶出手段５０と、ミストを発生させるミスト発生手段と、発生したミストを含む加湿空気を送風ファンにより送風口から送風するミスト運転を制御すると共に、イオン溶出手段を制御する制御部とを備え、イオン溶出手段は給水時に直流電圧を印加することで陽極側の電極から銀イオンを溶出し、制御部４５にはタイマと、電極の極性を記憶するメモリとを備え、制御部は立ち上げ給水動作による給水の時には、メモリ６１に記憶される、前回の立ち上げ給水動作での電極の極性と逆の極性で給水を行い、追加給水動作による給水の時は、メモリに記憶される前回の追加給水動作での電極の極性と逆の極性で通電して給水することで貯水室８内を清浄な状態に保つことができる。【選択図】  図７
2020079657.tif 000002
【特許請求の範囲】
【請求項１】
器具本体と、
前記器具本体内に有り水を貯水する貯水室と、
前記貯水室に一端が接続され配管途中に前記貯水室への給水有無を切り替え可能な給水弁を備えた給水管と、
前記給水管途中に配置され銀イオンを溶出するイオン溶出手段と、
前記貯水室に一端が接続され配管途中に前記貯水室内の水の排水有無を切り替え可能な排水弁を備えた排水管と、
前記貯水室内の水からミストを発生させるミスト発生手段と、
前記ミスト発生手段により発生したミストを含む加湿空気を送風口から送風する送風ファンと、
前記貯水室内の水位を検知する水位センサと、
前記ミスト発生手段で発生したミストを含む加湿空気を前記送風ファンにより前記送風口から送風するミスト運転を制御すると共に、前記イオン溶出手段を制御する制御部と、を備え、
前記イオン溶出手段は、流水経路に配置された一対の電極間に前記給水弁開放時に直流の電圧を印加することにより前記電極の一方が陽極、他方が陰極の極性になり、前記陽極側の電極から銀イオンを溶出するもので、
前記制御部は、立ち上げ給水動作と追加給水動作での前記電極の極性を個別に記憶するメモリを備え、
前記制御部は、前記貯水室が空の状態から前記水位センサの上限水位まで給水を行う前記立ち上げ給水動作で実施する給水のときには、前記メモリに記憶されている、前回の立ち上げ給水動作での前記電極の極性と逆の極性で給水を行い、
前記水位センサが下限水位を検知したら前記給水弁を開弁し、上限水位を検知したら前記給水弁を閉弁する前記追加給水動作で実施する給水のときには、前記メモリに記憶されている、前回の追加給水動作での前記電極の極性と逆の極性で通電して給水することを特徴とする加湿装置。
【請求項２】
前記制御部は、前記給水時には前記給水弁を開弁してから閉弁するまでの間に、前記電極の極性を反転しないことを特徴とする請求項1に記載の加湿装置。
【発明の詳細な説明】
【技術分野】
【０００１】
この発明は、ミストを含む加湿空気を室内へ供給するミスト運転が実施可能な加湿装置に関するものである。
【背景技術】
【０００２】
従来、この種のものでは、貯水室内の水からミスト発生手段によりミストを含む加湿空気を発生させ、送風ファンにより器具本体内に取り込んだ空気を貯水室を通過させ、ミストを含む加湿空気を室内に送風するミスト運転を実施する加湿装置があり、ミスト運転を実施することで器具本体が配置された室内の相対湿度を設定された範囲内となるように加湿すると共に室内に浮遊する塵埃を貯水室の水中に取り込んで空気清浄を行い、室内の快適性を高めるものがあった。（例えば、特許文献１）
【先行技術文献】
【特許文献】
【０００３】
【特許文献１】特開２０１８−４１２２号公報
【発明の概要】
【発明が解決しようとする課題】
【０００４】
しかし、この従来のものでは、ミスト運転を実施することで貯水室内の水が気化して水量が減少し、水に含まれるミネラル成分が濃縮されて貯水室のミネラル成分の濃度が高まることから、所定の運転時間だけミスト運転を継続して実施したら貯水室内の水を排水した後に給水する水入れ替え動作を実施することで、ミネラル成分の濃度を低下させて貯水室内の水を清浄な状態にしていたが、長い期間使用することで、貯水室内の壁面に細菌やカビ繁殖するおそれがあり更なる対策が必要であった。また、細菌やカビ繁殖を防止するために、給水に銀イオンを溶出する電極を備えた銀イオン溶出ユニットには、陰極の表面に付着するカルシウム等の汚れを清掃する必要があった。
【課題を解決するための手段】
【０００５】
上記課題を解決するために、本発明は、器具本体と、
前記器具本体内に有り水を貯水する貯水室と、
前記貯水室に一端が接続され配管途中に前記貯水室への給水有無を切り替え可能な給水弁を備えた給水管と、
前記給水管途中に配置され銀イオンを溶出するイオン溶出手段と、
前記貯水室に一端が接続され配管途中に前記貯水室内の水の排水有無を切り替え可能な排水弁を備えた排水管と、
前記貯水室内の水からミストを発生させるミスト発生手段と、
前記ミスト発生手段により発生したミストを含む加湿空気を送風口から送風する送風ファンと、
前記貯水室内の水位を検知する水位センサと、
前記ミスト発生手段で発生したミストを含む加湿空気を前記送風ファンにより前記送風口から送風するミスト運転を制御すると共に、前記イオン溶出手段を制御する制御部と、を備え、
前記イオン溶出手段は、流水経路に配置された一対の電極間に前記給水弁開放時に直流の電圧を印加することにより前記電極の一方が陽極、他方が陰極の極性になり、前記陽極側の電極から銀イオンを溶出するもので、
前記制御部は、立ち上げ給水動作と追加給水動作での前記電極の極性を個別に記憶するメモリを備え、
前記制御部は、前記貯水室が空の状態から前記水位センサの上限水位まで給水を行う前記立ち上げ給水動作で実施する給水のときには、前記メモリに記憶されている、前回の立ち上げ給水動作での前記電極の極性と逆の極性で給水を行い、
前記水位センサが下限水位を検知したら前記給水弁を開弁し、上限水位を検知したら前記給水弁を閉弁する前記追加給水動作で実施する給水のときには、前記メモリに記憶されている、前回の追加給水動作での前記電極の極性と逆の極性で通電して給水するようにしたものである。
【発明の効果】
【０００６】
この発明によれば、給水管に銀イオンを溶出するイオン溶出手段を備えることで、貯水室の水をより清浄な状態にすることができ、細菌やカビ繁殖するおそれを少なくすることができる。また、イオン溶出手段の両電極の極性を均等にすることができ、電極の清掃作業も簡単にすることができる。
また、給水時には給水弁を開弁してから閉弁するまでの間に、電極の極性を反転しないことで、電極の極性反転時に溶出したばかりの銀イオンが電極に戻ることを防止して、銀イオンの溶出ロスを防止することができる。
【図面の簡単な説明】
【０００７】
【図１】この発明の一実施形態の外観を説明する斜視図
【図２】同実施形態の概略構成図
【図３】同実施形態の要部拡大断面図
【図４】同実施形態の制御ブロック図
【図５】同実施形態の操作部を説明する図
【図６】同実施形態の運転開始から終了までの動作を説明するフローチャート図
【図７】同実施形態の給水時の電極の極性を説明するシーケンス図
【発明を実施するための形態】
【０００８】
次に、この発明の一実施形態におけるミスト発生装置を図に基づいて説明する。
１は器具本体、２は器具本体１上部に形成され複数のルーバー３が設置された送風口、４は器具本体１の正面上部を構成する上面パネル、５は器具本体１の正面下部を構成する下面パネル、６は複数のスイッチが備えられ各種操作指令を行う操作部、７は図示しないブレーカーを隠すブレーカーカバーである。
【０００９】
８は器具本体１内の略中段高さ位置にあって所定量の水を貯水する貯水室であり、この貯水室８内には、水に下端を水没させ駆動軸９に軸支された筒状の回転体１０が備えられている。
【００１０】
前記回転体１０は、中空逆円錐形で上方に向かって円周が徐々に拡大するものであり、駆動軸９に接続され回転体１０を回転駆動させるミストモータ１１を駆動させ、回転体１０が回転することによる回転の遠心力で貯水室８の水を汲み上げ、回転体１０の外壁および内壁を伝わせて水を押し上げて、回転体１０の外壁を伝わせて押し上げた水を周囲に飛散させると共に、回転体１０の内壁を伝わせて押し上げた水を回転体１０の上端に形成された複数の図示しない飛散口から外周方向へ飛散させる。
【００１１】
１２は回転体１０の上部外周に所定間隔を離間させて位置し、回転体１０と共に回転する円筒状の多孔体で、該多孔体１２には、その全周壁に多数のスリットや金網やパンチングメタル等から成る衝突体としての多孔部１３が設置されており、前記回転体１０、前記ミストモータ１１及び前記多孔部１３でミスト発生手段が構成されている。
【００１２】
前記ミスト発生手段を構成するミストモータ１１を駆動させ、回転体１０を回転させたことで発生する遠心力で貯水室８内の水を汲み上げると共に空気を飛散させ、多孔部１３を通過した水滴が破砕されることで、水を微細化して粒径がナノメートル（ｎｍ）サイズのミストが多量に生成される。
【００１３】
１４は下面パネル５内に設置され所定の回転数で駆動することで室内空気を吸引して器具本体１の上部方向へ送風する送風ファン、１５は貯水室８と送風口２とを接続し貯水室８内で発生したミストを含む加湿空気を送風口２へ送る送風経路、１６は該送風経路１５の途中に設置され加湿空気に含まれる大径水滴を分離し、ミストを含む加湿空気が送風口２から室内へ多量に送風されるようにする板状のフィルタであり、前記送風ファン１４が所定の回転数で駆動すると、器具本体１の底面に形成された吸気口１７から吸い込んだ室内空気を器具本体１の上部方向へ送風され、貯水室８の上流側に形成された吸入経路１８から送風ファン１４によって送風された室内空気が流入し、貯水室８内へ流入した室内空気がミストを含んだ加湿空気になり、当該加湿空気が前記送風経路１５内を上昇して、送風経路１５と接続した送風口２から室内へ送風されることで、ミストを含んだ加湿空気を室内に供給することができる。
【００１４】
１９は貯水室８内に設置され貯水を加熱する加熱ヒータであり、貯水室８の外壁に設置され貯水温度を検知する貯水温度センサ２０で検知される温度が所定温度となるよう、ＯＮ／ＯＦＦ状態が適宜切り替えられる。
【００１５】
２１は貯水室８内に設置されフロートが上下することで水位を検知する水位センサであり、貯水室８内の水位が低下して下限水位以下になったらＯＦＦ信号を出力し、水位が上昇して上限水位以上になったらＯＮ信号を出力し、更に水位が上昇して貯水室８内が満水となったら満水信号を出力する。
【００１６】
なお、貯水室８内の水位が下限水位を下回ると、回転体１０で水を吸い上げることが困難な状態になり、ナノミストと負イオンの発生量が減少して室内に放出される加湿空気量が減少してしまう。
また、貯水室８内の水位が上限水位を上回ると、水の粘性抵抗により回転体１０の回転に対する負荷が増大することから、ミストモータ１１に負荷がかかり製品寿命の低下に繋がる。
以上のことから、貯水室８内の水位を下限水位から上限水位の範囲に収めることで、回転体１０による水の吸い上げ量を確保すると共にミストモータ１１の負荷増大を防止することができる。
【００１７】
２２は貯水室８の側面に一端が接続され貯水室８内に市水を給水する給水管であり、当該給水管２２の配管途中には、電磁弁を開閉して貯水室８内への給水を制御する給水弁２３と、給水圧を所定値まで減圧する減圧弁２４とが備えられている。
また、給水管２２にはイオン溶出ユニット５０（イオン溶出手段）を備え、当該イオン溶出ユニット５０内の流水経路５１には、一対の電極５２を有し、電極Ａと電極Ｂの間に給水弁２３の開放時に直流の電圧を印加する直流電源５３がリード線５４で接続されている。これによって、給水時に電極５２の一方が陽極、他方が陰極の極性になり、陽極側の電極５２から銀イオンを給水中に溶出する。
【００１８】
２５は貯水室８底部に一端が接続され貯水室８内の水を器具本体１外部に排水する硬質塩化ビニル管で構成された排水管であり、当該排水管２５の配管途中には、電磁弁を開閉して貯水室８内水の排水を制御する排水弁２６が備えれている。
【００１９】
２７は送風口２の壁面に設置され、送風口２から室内へ向けて送風される加湿空気の温度を検知する送風温度センサ、２８は送風ファン１４の近傍に設置され、器具本体１の下部にある銅製の網が設置された吸気口１７へ吸い込まれる室内空気の雰囲気温度を検知する吸気温度センサ、２９は前記吸気温度センサ２８の近傍に設置され、器具本体１が設置された室内の相対湿度を検知する湿度センサであり、各センサで検知された温度や相対湿度に基づいて、ミストモータ１１や送風ファン１４の回転数を変化させ、加熱ヒータ１９のＯＮ／ＯＦＦ状態を切り替える。
【００２０】
操作部６には、ミスト運転の開始及び停止を指示する運転スイッチ３０と、加熱ヒータ１９のＯＮ／ＯＦＦ状態を切り替えることで貯水室８内の貯水温度を変化させ、送風口２から室内に送風される加湿空気に含有可能な水分量の割合を変化させた３段階の加湿レベルと、湿度センサ２９で検知された湿度が予め設定された湿度となるよう前記加湿レベルを変化させるオートモードとから選択可能な加湿スイッチ３１と、ミストモータ１１と送風ファン１４との回転数の大小を設定可能な三段階の風量レベルと、湿度センサ２９で設定された湿度が予め設定された湿度となるよう前記風量レベルを変化させるオードモードとから選択可能な風量スイッチ３２と、加湿空気を室内に供給するミスト運転の開始時間と停止時間とを設定するタイマー切替スイッチ３３と、前記加湿スイッチ３１及び前記風量スイッチ３２での設定に関わらず、消費電力の低いミスト運転であるエコモードを設定するエコモードスイッチ３４と、現在時刻を設定する時刻設定スイッチ３５と、スイッチを操作することで運転停止以外の動作を禁止するチャイルドロックスイッチ３６とが備えられている。
【００２１】
また、操作部６の各スイッチ上部には各スイッチに対応したランプが備えられており、運転スイッチ３０が操作されたら点灯する運転ランプ３７と、除菌運転時に点灯する除菌ランプ３８と、加湿スイッチ３１で設定された加湿レベルを１から３の数値とオートモードを示すＡで表示する加湿レベルランプ３９と、風量スイッチ３２で設定された風量レベルを１から３の数値とオートモードを示すＡで表示する風量レベルランプ４０と、タイマー切替スイッチ３３でミスト運転の開始及び停止が設定されたら、それぞれのランプが点灯するタイマーランプ４１と、エコモードスイッチ３４が操作されエコモードが設定されたら点灯するエコモードランプ４２と、時刻設定スイッチ３５で設定された現在時刻を表示する時刻表示パネル４３と、チャイルドロックスイッチ３６が操作されたら点灯するチャイルドロックランプ４４とが備えられている。
【００２２】
４５は各センサで検知された検知値や操作部６上に備えられた各スイッチでの設定内容に基づき、運転内容や弁の開閉を制御するマイコンで構成された制御部であり、ミストモータ１１を所定の回転数で駆動させるミストモータ制御手段４６と、送風ファン１４を所定の回転数で駆動させる送風ファン制御手段４７と、加熱ヒータ１９のＯＮ／ＯＦＦ状態を切り替えて貯水室８内の水温を制御する加熱ヒータ制御手段４８と、イオン溶出ユニット５０のＯＮ／ＯＦＦや電極５２の極性を制御するイオン溶出制御手段６０と、電極５２の極性を給水動作の種類別に個別に記憶するメモリ６１と、ミスト運転の運転時間Ｘを計時するタイマ６２と、が備えられている。
【００２３】
また、制御部４５は、ミスト運転開始時に貯水室８が空の状態から水位センサ２１の上限水位まで給水弁２３を開弁して給水を行う立ち上げ給水動作、または、ミスト運転を所定時間Ｘ１継続したと判断したら排水弁２６を開弁し、貯水室８内の水を排水後に前記立ち上げ給水動作を実施する水入れ替え給水動作による給水動作、が終了後に実施された給水動作での電極５２の極性をメモリ６１に記憶する。
【００２４】
また、制御部４５は、立ち上げ給水動作、または、水入れ替え給水動作による給水動作での給水のときに、メモリ６１に記憶されている、前回の立ち上げ給水動作または水入れ替え給水動作での電極５２の極性と逆の極性で給水を行う。
【００２５】
また、制御部４５は、水位センサ２１が下限水位を検知したら給水弁２３を開弁し、上限水位を検知したら給水弁２３を閉弁する追加給水動作による給水のときには、メモリ６１に記憶されている、前回の追加給水動作での電極５２の極性と逆の極性で通電して給水し、追加給水動作が終了後に実施された給水動作での電極５２の極性をメモリ６１に記憶する。
【００２６】
電極５２が陰極として使用される側には水中に溶け込んでいるカルシウム等のスケールが付着する。極性を反転しないまま直流の電圧を流し続け、スケールの堆積量が多くなると、電流が流れにくくなり、銀イオンの溶出量が減少する。また、陽極として使用される電極だけ消耗が早まることになる。そこで、電極５２の極性を周期的に反転して使用する。
【００２７】
また、制御部４５は、給水時には給水弁２３を開弁してから閉弁するまでの間に、電極５２の極性を反転しないことで、電極５２の極性反転時に溶出したばかりの銀イオンが電極５２に戻ることを防止して、銀イオンの溶出ロスを防止することができる。
【００２８】
このように、立ち上げ給水動作、または、水入れ替え給水動作による給水動作のような比較的長い時間行われる給水での電極５２の極性と、追加給水動作のように短い時間で行われる給水での電極５２の極性と、をそれぞれ別に記憶して、別々に電極５２の極性を変更することで、電極Ａと電極Ｂの陽極での通電時間と、陰極での通電時間が略等しくなる。これによって、各電極Ａ・Ｂの銀の溶出量が略等しくなり、電極Ａ・Ｂ表面に付着するカルシウム等の汚れを少なくすることができ、清掃作業も簡単にすることができる。
【００２９】
次に、この一実施形態での運転開始から終了までの動作について図６のフローチャートと図７のシーケンス図によって電極５２の極性の説明図に基づいて説明する。
まず、操作部６の運転スイッチ３０が操作されたか、もしくはタイマー切替スイッチ３３で設定された運転開始時刻になったら、制御部４５は、排水弁２６を開弁して貯水室８内の水を排水し、水位センサ２１でＯＦＦ信号が検知されたら給水弁２３を開弁して貯水室８内を水で洗い流すクリーニング動作を行い、所定時間経過したら排水弁２６を閉弁することで給水弁２３を経由して、イオン溶出ユニット５０から流入する銀イオンが溶出した水を貯水室８内に供給し、水位センサ２１でＯＮ信号が検知されたら、所定量の水が貯水室８内に供給されたとして給水弁２３を閉弁する洗浄モード（立ち上げ給水動作）を行う（ステップＳ１０１）。この立ち上げ給水動作での給水時の電極５２の極性は、前回の水入れ替え給水動作による給水動作での給水のときに、メモリ６１に記憶されている、電極５２の極性と逆の極性で給水を行う。図７においては電極Ａは陽極、電極Ｂは陰極で通電される。
【００３０】
ステップＳ１０１の洗浄モードが終了したら、制御部４５は、貯水温度センサ２０で検知される貯水温度が室温と同値になるまで加熱ヒータ制御手段４８で加熱ヒータ１９をＯＮ状態にして、ミストモータ１１及び送風ファン１４が所定の回転数となるようミストモータ制御手段４６及び送風ファン制御手段４７で制御する立ち上げ動作を実行する立ち上げモードを行う（ステップＳ１０２）。
【００３１】
ステップＳ１０２の立ち上げモードが終了したら、制御部４５は、加湿スイッチ３１及び風量スイッチ３２で設定された加湿レベルと風量レベルとに基づいて、ミストモータ１１と送風ファン１４とが所定の回転数で駆動するようミストモータ制御手段４６と送風ファン制御手段４７とで回転数を制御し、加熱ヒータ１９のＯＮ／ＯＦＦ状態を加熱ヒータ制御手段４８で切り替えて制御して、加湿レベルと風量レベルとに合わせた所定の温度範囲内にするミスト運転を実行する通常運転モードを行う（ステップＳ１０３）。
【００３２】
また、制御部４５は、前記ミスト運転中に貯水室８の水位が下限水位以下となって水位センサ２１がＯＦＦ信号を出力したと判断したら、給水弁２３を開弁して貯水室８内への給水を開始し、貯水室８の水位が上限水位に達して水位センサ２１がＯＮ信号を出力したと判断したら、給水弁２３を閉弁して貯水室８内への給水を停止する追加給水動作を実施することで、常時ミスト運転が実施可能な水位を保持することができる。この追加給水動作による給水の際には、メモリ６１に記憶されている、前回の追加給水動作での電極５２の極性と逆の極性で通電して給水し、追加給水動作が終了後に実施された給水動作での電極５２の極性をメモリ６１に記憶する。追加給水動作を繰り返すごとに、電極５２の極性が反転することで電極Ａ・Ｂへの通電時間を等しくすることができる。この追加給水動作での給水時の電極５２の極性は、前回の追加給水動作での給水のときに、メモリ６１に記憶されている、電極５２の極性と逆の極性で給水を行う。図７においては１回目の追加給水動作では、電極Ａは陰極、電極Ｂは陽極で通電され、２回目の追加給水動作では、電極Ａは陽極、電極Ｂは陰極で通電され、３回目の追加給水動作では、電極Ａは陰極、電極Ｂは陽極で通電され、電極５２の極性が交互に反転する。
【００３３】
また、制御部４５は、前記通常運転モードが開始されたら運転時間Ｘのカウントを開始し、カウントした時間が所定の運転時間Ｘ１を経過したと判断したら水入れ替え給水動作を開始しする。この水入れ替え給水動作は、まず排水弁２６を開弁して貯水室８内の水を排水し、水位センサ２１でＯＦＦ信号が検知されたら給水弁２３を開弁して貯水室８内を水で洗い流すクリーニング動作を行い、所定時間経過したら排水弁２６を閉弁することで給水弁２３を経由して、イオン溶出ユニット５０から流入する銀イオンが溶出した水を貯水室８内に供給し、水位センサ２１でＯＮ信号が検知されたら給水弁２３を閉弁して、所定量の水が貯水室８内に供給される。
【００３４】
また、制御部４５は、前記立ち上げモードと同様に、貯水温度センサ２０で検知される貯水温度が室温と同値になるまで加熱ヒータ制御手段４８で加熱ヒータ１９をＯＮ状態にして、ミストモータ１１及び送風ファン１４が所定の回転数となるようミストモータ制御手段４６及び送風ファン制御手段４７で制御する。その後、加湿スイッチ３１及び風量スイッチ３２で設定された加湿レベルと風量レベルとに基づいて、ミストモータ１１と送風ファン１４とが所定の回転数で駆動するようミストモータ制御手段４６と送風ファン制御手段４７とで回転数を制御し、加熱ヒータ１９のＯＮ／ＯＦＦ状態を加熱ヒータ制御手段４８で切り替えて制御して、加湿レベルと風量レベルとに合わせた所定の温度範囲内にするミスト運転を再開し、通常運転モードに復帰する。同時に運転時間Ｘがリセットされ、次に運転時間Ｘ１を経過したときに、次回の水入れ替え給水動作が繰り返される。
【００３５】
この水入れ替え給水動作による給水では、メモリ６１に記憶されている、前回の立上げ給水動作での電極５２の極性と逆の極性で通電して給水し（図７では電極Ａは陰極、電極Ｂは陽極）、水入れ替え給水動作が終了後に実施された給水動作での電極５２の極性をメモリ６１に記憶する。立上げ給水動作または水入れ替え給水動作を繰り返すごとに、電極５２の極性が反転することで電極Ａ・Ｂへの通電時間を等しくすることができる。
【００３６】
ステップＳ１０３の通常運転モードが開始されてから経過した時間が１６時間となったか、または通常運転モード中に運転スイッチ３０が操作されたか、あるいは、タイマー切替スイッチ３３で設定した停止時間となってミスト運転終了の指示があったと判断したら、制御部４５は、ミストモータ１１を停止させてから排水弁２６を開弁して貯水室８内の水を排水し、所定時間経過したら給水弁２３を開弁して貯水室８内を洗浄してから排水弁２６を閉弁して貯水室８内に所定量だけ貯水する洗浄運転を行い、その後、加熱ヒータ１９をＯＮ状態にして水を６５℃前後に加熱し除菌を行う除菌運転を１０分間実施し、１０分経過後に貯水室８内を冷却する冷却運転を実行し、貯水温度が６０℃未満になったら排水弁２６を開弁して排水するクリーニングモードを行う（ステップＳ１０４）。
【００３７】
ステップＳ１０４のクリーニングモードが終了したら、制御部４５は、乾燥モード（ステップＳ１０５）に移行し、送風ファン１４が所定の回転数（例えば、８００ｒｐｍ）で駆動するよう送風ファン制御手段４７で制御し、所定時間（例えば３時間）だけ送風ファン１４を駆動させ続ける乾燥運転を実施して、３時間経過したと判断したら、送風ファン１４を停止させて運転を終了する。
【００３８】
以上のように、立ち上げ給水動作のような比較的長い時間行われる給水での電極５２の極性と、追加給水動作のように短い時間で行われる給水での電極５２の極性と、をそれぞれ別に記憶して、別々に電極５２の極性を変更することで、電極Ａと電極Ｂの陽極での通電時間と、陰極での通電時間が略等しくなる。これによって、各電極Ａ・Ｂの銀の溶出量が略等しくなり、電極Ａ・Ｂ表面に付着するカルシウム等の汚れを少なくすることができ、電極５２の清掃作業も簡単にし、清掃作業の頻度も少なくすることができる。
【００３９】
また、給水時には給水弁２３を開弁してから閉弁するまでの間に、電極５２の極性を反転しないことで、電極５２の極性反転時に溶出したばかりの銀イオンが電極５２に戻ることを防止して、銀イオンの溶出ロスを防止することができる。
【００４０】
本実施形態の水入れ替え給水動作を実施する所定時間Ｘ１は貯水室８の大きさや、加湿装置の加湿能力等によって変化するものである。また、イオン溶出ユニット５０（イオン溶出手段）は、本実施形態では給水弁２３の給水の下流側に位置しているが、給水弁２３の上流側に設けても良い。
また、本実施形態で用いたその他の構成は一例として提示したものであり、発明の範囲を限定することは意図しておらず、その他の様々な形態で実施されることが可能であり、発明の要旨を逸脱しない範囲において、種々の省略、置き換え、変更を行うことができる。これら実施形態やその変形は、発明の範囲や要旨に含まれると共に、特許請求の範囲に記載された発明とその均等の範囲に含まれる。
【符号の説明】
【００４１】
１    器具本体
２    送風口
８    貯水室
１０    回転体
１１    ミストモータ
１３    多孔部（衝突体）
１４    送風ファン
２１    水位センサ
２２    給水管
２３    給水弁
２５    排水管
２６    排水弁
４５    制御部
５０    イオン溶出ユニット（イオン溶出手段）
５２    電極
６０    イオン溶出制御手段
６１    メモリ
【図１】
2020079657.tif 000003
【図２】
2020079657.tif 000004
【図３】
2020079657.tif 000005
【図４】
2020079657.tif 000006
【図５】
2020079657.tif 000007
【図６】
2020079657.tif 000008
【図７】
2020079657.tif 000009